(57)【要約】【課題】小サイズの記録媒体を搬送する場合であってもこの小サイズの記録媒体の斜行を無くして円滑に搬送できるシート搬送装置を提供する。【解決手段】レジストローラ６４を５つの個別レジストローラ６４ａ，６４ｂ，６４ｃ，６４ｄ，６４ｅで構成し、また、レジストコロ６６を、５つの個別レジストローラ６４ａ，６４ｂ，６４ｃ，６４ｄ，６４ｅそれぞれに対応する５つの個別レジストコロ６６ａ，６６ｂ，６６ｃ，６６ｄ，６６ｅで構成した。個別レジストコロ６６ａに対応させて両端個別レジシャッタ７０を設けた。個別レジストコロ６６ｃに対応させて中央個別レジシャッタ７２を設けた。また、個別レジストコロ６６ｅに対応させて両端個別レジシャッタ７４を設けた。各レジシャッタ７０，７２，７４は互いに独立して矢印Ｂ方向に回動する。【選択図】　　　図５
2004026343.tif 000002
【特許請求の範囲】
【請求項１】
所定の搬送方向に記録媒体を搬送する第１搬送手段と、該第１搬送手段が搬送した記録媒体を前記搬送方向にさらに搬送する、該第１搬送手段よりも前記搬送方向の下流側に配置された第２搬送手段と、前記第１搬送手段によって搬送された記録媒体の先端が当接してその斜行を矯正すると共にこの矯正後に記録媒体の腰によって所定の退避位置に退避させられて記録媒体を前記第２搬送手段に到達させる、前記第２搬送手段よりも前記搬送方向の上流側に配置されたレジシャッタとを備えた記録媒体搬送装置において、
前記レジシャッタは、
前記搬送方向に直交する直交方向に並んだ複数の個別レジシャッタからなるものであることを特徴とする記録媒体搬送装置。
【請求項２】
前記複数の個別レジシャッタは、
前記直交方向に並んだ３つ以上の個別レジシャッタからなるものであることを特徴とする請求項１に記載の記録媒体搬送装置。
【請求項３】
前記複数の個別レジシャッタは、
記録媒体の腰によってそれぞれが個別に所定の退避位置に退避させられるものであることを特徴とする請求項１又は２に記載の記録媒体搬送装置。
【請求項４】
前記複数の個別レジシャッタは、
前記直交方向における中央部に配置された中央個別レジシャッタと、
前記直交方向における両端部に配置された、互いに連結した２つの両端個別レジシャッタとからなるものであることを特徴とする請求項１，２，又は３に記載の記録媒体搬送装置。
【請求項５】
前記複数の個別レジシャッタは、
各個別レジシャッタのうち前記直交方向の両端部それぞれに形成された、前記第１搬送手段によって搬送された記録媒体の先端が当接する用紙当接部を備えたものであり、
前記第２搬送手段は、
各個別レジシャッタの２つの前記用紙当接部の間に配置された複数のローラ対を備えたものであり、
前記複数のローラ対は、
該ローラ対のうちの一方のローラが所定の第１回転中心軸に固定されて回転すると共に、他方のローラが所定の第２回転中心軸に固定されて回転するものであることを特徴とする請求項１から４までのうちのいずれか一項に記載の記録媒体搬送装置。
【請求項６】
前記複数の個別レジシャッタは、
これら複数の個別レジシャッタのうち前記直交方向の中央部に位置する中央個別レジシャッタの前記用紙当接部は、前記直交方向の両端部に位置する両端個別レジシャッタの用紙当接部よりも、前記搬送方向の下流側に位置するか、若しくは、前記中央個別レジシャッタ及び前記両端個別レジシャッタ双方の前記用紙当接部は同一平面上に位置するものであることを特徴とする請求項５に記載の記録媒体搬送装置。
【発明の詳細な説明】
【０００１】
【発明の属する技術分野】
本発明は、画像形成装置などにおいて給紙装置から給紙された記録媒体を転写部に搬送する記録媒体搬送装置に関する。
【０００２】
【従来の技術】
コンピュータやワークステーションの出力装置として、粉体の現像剤（トナー）を用いて記録媒体に画像を形成する電子写真方式の画像形成装置や、記録媒体にインクを吐出して画像を形成するインクジェット方式の画像形成装置が知られている。このような画像形成装置は、通常、多数枚の記録媒体が積載される給紙カセットを備えている。給紙カセットからは記録媒体が一枚ずつ給紙され、給紙された記録媒体は所定の搬送方向に搬送されて画像形成部に到達する。
【０００３】
ところが、給紙カセットから給紙されて画像形成部に到達するまでの間に記録媒体が斜行することがある。そこで、給紙カセットから画像形成部までの間に、記録媒体を搬送しながらその斜行を矯正する搬送装置を配置することがある。このような搬送装置について図８を参照して説明する。
【０００４】
図８は、従来の搬送装置の一部を示す斜視図である。
【０００５】
搬送装置１００は、回転軸１１２に固定されて矢印Ａ方向に回転するレジストローラ１１２ａ，１１２ｂ，１１２ｃ，１１２ｄ，１１２ｅを備えている。各レジストローラ１１２ａ，１１２ｂ，１１２ｃ，１１２ｄ，１１２ｅにはほぼ同じサイズのレジストコロ１１４ａ，１１４ｂ，１１４ｃ，１１４ｄ，１１４ｅが押し付けられている。これらのレジストコロ１１４ａ，１１４ｂ，１１４ｃ，１１４ｄ，１１４ｅは回転軸１１４に固定されており、レジストローラ１１２ａ，１１２ｂ，１１２ｃ，１１２ｄ，１１２ｅに従動して矢印Ｂ方向に回転する。各レジストローラ１１２ａ，１１２ｂ，１１２ｃ，１１２ｄ，１１２ｅと各レジストコロ１１４ａ，１１４ｂ，１１４ｃ，１１４ｄ，１１４ｅとが接触する部分（ニップ部）１１５に記録媒体１１６が挟持されながら矢印Ｃ方向に搬送される。
【０００６】
回転軸１１４には、矢印Ｃ方向（搬送方向）に搬送される記録媒体１１６の斜行を矯正するレジシャッタ１１８が回転自在に固定されている。レジシャッタ１１８には、矢印Ｃ方向に搬送されている記録媒体１１６の先端１１６ａが当接する当接部１１８ａが形成されている。レジシャッタ１１８に外力が作用していないときは、レジシャッタ１１８は、図８で示されるように位置している。
【０００７】
矢印Ｃ方向から斜行しながら搬送されてきた記録媒体１１６の先端がレジシャッタ１１８の各当接部１１８ａに当接することにより記録媒体１１６の先端が全ての当接部１１８ａで揃うので、記録媒体１１６の斜行が矯正される。このようにして斜行が矯正された記録媒体１１６は矢印Ｃ方向に更に搬送されるので、記録媒体１１６の「腰」によってレジシャッタ１１８が矢印Ｂ方向に回転する。この回転によって記録媒体１１６がニップ部１１５に到達できるので、記録媒体１１６がニップ部１１５に挟持されながら矢印Ｃ方向に更に搬送されることとなる。
【０００８】
上記したレジシャッタ１１８の長さ（矢印Ｃ方向に直交する直交方向（矢印Ｄ方向）の長さ）は、このレジシャッタ１１８が組み込まれた画像形成装置で使用される最大サイズ（例えばＡ４サイズ）の記録媒体１１６の幅よりもやや長めになっている。また、当接部１１８ａは、最大サイズの記録媒体の幅に合わせて例えば４〜６個ほど形成されている。従って、最大サイズの記録媒体１１６よりも小さいサイズ（例えばＡ５サイズやＡ６サイズ）の記録媒体が矢印Ｃ方向所に搬送される場合、この小サイズの記録媒体の先端が複数の当接部１１８ａのいずれかに当接することにより、その斜行が矯正される。
【０００９】
【発明が解決しようとする課題】
大サイズの記録媒体が矢印Ｃ方向に搬送されるときは、大サイズの記録媒体の先端が複数の当接部１１８ａの全てに当接する。しかし、小サイズの記録媒体が矢印Ｃ方向に搬送されるときは、この小サイズの記録媒体の先端が複数の当接部１１８ａのうちのいずれかにしか当接しない（全てには当接しない）。このように記録媒体の幅に応じてその先端が複数の当接部１１８ａに選択的にしか当接しない場合、レジシャッタ１１８を回転させるための記録媒体の「腰」は弱くなる。この場合、小サイズ記録媒体の「腰」がレジシャッタ１１８の重さに負けるので、レジシャッタ１１８が矢印Ｂ方向に回転しにくくなる。
【００１０】
また、小サイズの記録媒体の先端が複数の当接部１１８ａに選択的に当接している状態であっても、レジストローラ１１２ａ，１１２ｂ，１１２ｃ，１１２ｄ，１１２ｅよりも矢印Ｃ方向上流側に配置された他の搬送ローラによって矢印Ｃ方向に搬送されている。このため、小サイズの記録媒体は斜行したままいずれかのニップ部１１５に送られるおそれがある。このように小サイズの記録媒体が斜行したままの状態でその一部がニップ部１１５に挟持された場合、小サイズの記録媒体は斜行したままレジストローラ１１２ａ，１１２ｂ，１１２ｃ，１１２ｄ，１１２ｅとレジストコロ１１４ａ，１１４ｂ，１１４ｃ，１１４ｄ，１１４ｅを通過してしまう。この結果、紙詰りが発生したり、記録媒体に画像が傾いて形成されたりすることがある。
【００１１】
本発明は、上記事情に鑑み、小サイズの記録媒体を搬送する場合であってもこの小サイズの記録媒体の斜行を無くして円滑に搬送できるシート搬送装置を提供することを目的とする。
【００１２】
【課題を解決するための手段】
上記目的を達成するための本発明の記録媒体搬送装置は、所定の搬送方向に記録媒体を搬送する第１搬送手段と、該第１搬送手段が搬送した記録媒体を前記搬送方向にさらに搬送する、該第１搬送手段よりも前記搬送方向の下流側に配置された第２搬送手段と、前記第１搬送手段によって搬送された記録媒体の先端が当接してその斜行を矯正すると共にこの矯正後に記録媒体の腰によって所定の退避位置に退避させられて記録媒体を前記第２搬送手段に到達させる、前記第２搬送手段よりも前記搬送方向の上流側に配置されたレジシャッタとを備えた記録媒体搬送装置において、
（１）前記レジシャッタは、前記搬送方向に直交する直交方向に並んだ複数の個別レジシャッタからなるものであることを特徴とするものである。
【００１３】
ここで、
（２）前記複数の個別レジシャッタは、前記直交方向に並んだ３つ以上の個別レジシャッタからなるものであってもよい。
【００１４】
また、
（３）前記複数の個別レジシャッタは、記録媒体の腰によってそれぞれが個別に所定の退避位置に退避させられるものであってもよい。
【００１５】
さらに、
（４）前記複数の個別レジシャッタは、
（４−１）前記直交方向における中央部に配置された中央個別レジシャッタと、
（４−２）前記直交方向における両端部に配置された、互いに連結した２つの両端個別レジシャッタとからなるものであってもよい。
【００１６】
さらにまた、
（５）前記複数の個別レジシャッタは、各個別レジシャッタのうち前記直交方向の両端部それぞれに形成された、前記第１搬送手段によって搬送された記録媒体の先端が当接する用紙当接部を備えたものであり、
（６）前記第２搬送手段は、各個別レジシャッタの２つの前記用紙当接部の間に配置された複数のローラ対を備えたものであり、
（７）前記複数のローラ対は、該ローラ対のうちの一方のローラが所定の第１回転中心軸に固定されて回転すると共に、他方のローラが所定の第２回転中心軸に固定されて回転するものであってもよい。
【００１７】
さらにまた、前記複数の個別レジシャッタは、
（８）これら複数の個別レジシャッタのうち前記直交方向の中央部に位置する中央個別レジシャッタの前記用紙当接部は、前記直交方向の両端部に位置する両端個別レジシャッタの用紙当接部よりも、前記搬送方向の下流側に位置するか、若しくは、前記中央個別レジシャッタ及び前記両端個別レジシャッタ双方の前記用紙当接部は同一平面上に位置するものであってもよい。
【００１８】
【発明の実施の形態】
図１と図２を参照して本発明の記録媒体搬送装置が組み込まれた画像形成装置を説明する。
【００１９】
図１は、本発明の画像形成装置の一実施形態であるデジタル複写機を示す斜視図である。図２は、図１のデジタル複写機の内部構造を示す模式図である。
【００２０】
複写機１０は、原稿に記録された画像を読み取るための複数の部品が組み込まれた筐体（画像形成装置本体）１２を有する。複写機１０の頂面には開閉自在な直方体状の原稿圧着板１４が配置されている。原稿圧着板１４の下には、周知の光学系（図示せず）が組み込まれた光学装置（図示せず）が配置されている。この光学装置には光源ＬＥＤ（図示せず）などが備えられている。光学装置の上面（上壁）は、原稿が載置される原稿台ガラス１８が配置されている。また、光学装置の下方には、レーザスキャナ１６が配置されている。
【００２１】
筐体１２のうち原稿圧着板１４よりも手前側（正面側）には、複写枚数などが入力される操作パネル２０が配置されている。また、筐体１２の下部には、複数枚のカット紙が収容される給紙カセット２２が筐体１２に出し入れ自在に（着脱自在に）装着されている。筐体１２の右側壁には、ジャム処理などの際に開かれる扉２４が形成されている。この扉２４は、複写機１０の使用時には閉じられており、後述する搬送装置４４などを覆い隠している。また、筐体１２のうち左側の部分には、画像の形成された記録媒体が排出されて積載される排紙トレイ２６が形成されている。
【００２２】
図２を参照して、複写機１０で画像を形成する手順を説明する。
【００２３】
複写機１０で画像を形成する際は、原稿圧着板１４を開き、原稿台ガラス１８の上面に、画像面が下になるように原稿を載置し、この原稿を原稿圧着板１４で押さえて固定する。次に、操作パネル２０の操作ボタン等を押すことにより、原稿に記録された画像は、光学装置に組み込まれた光学系で読み取られる。読み取られた画像はデジタル信号に変換され、このデジタル信号はレーザスキャナ１６に送信される。
【００２４】
レーザスキャナ１６に送信された信号はレーザ光に変換されて、このレーザ光は感光ドラム３０に照射される。感光ドラム３０は帯電器３２によって一様に帯電されており、レーザ光が照射された感光ドラム３０には静電潜像が形成される。この静電潜像は現像ローラ３４から供給された現像剤で現像されて現像像が形成される。
【００２５】
一方、給紙カセット２２からは記録紙などの記録媒体が給紙ローラ３６によって矢印Ｃ方向（給紙方向であり、本発明にいう搬送方向の一例である）に給紙される。給紙カセット２２から送り出された記録媒体は矢印Ａ方向に沿って搬送されるので、反転しながら搬送されることとなる。記録媒体は一対の搬送ローラ６２に挟持されながら搬送されてレジストローラ６４及びレジストコロ６６に到達する。記録媒体はレジストローラ６４とレジストコロ６６に挟持されながら転写器４２に搬送される。
【００２６】
転写器４２では、搬送されてきた記録媒体に感光ドラム３０の現像像が転写される。現像像が転写された記録媒体は搬送装置４４によって定着器４６に搬送される。定着器４６には定着ローラ４６ａと加圧ローラ４６ｂが配置されており、これら２つのローラ４６ａ，４６ｂに記録媒体が挟まれながら搬送されて、現像像が記録媒体に定着される。このようにして現像像が定着された記録媒体は排紙ローラ４８によって排出されて排紙トレイ２６に積載される。なお、複写機１０には、各種部品を駆動するための電源及び電気部品が装着された電装基板５０も内蔵されている。
【００２７】
図３から図６までを参照して、本発明の記録媒体搬送装置の第１実施形態を説明する。
【００２８】
図３は、記録媒体搬送装置を示す側面図である。図４は、図３の記録媒体搬送装置のうちレジシャッタの近傍部分を拡大して示す側面図である。図５は、レジシャッタなどを示す斜視図である。図６は、図５のレジシャッタを示す平面図である。
【００２９】
記録媒体搬送装置６０は、給紙カセット２２（図１参照）から給紙されたカット紙Ｓ（記録媒体の一例である）を矢印Ｃ方向（搬送方向）に搬送する搬送ローラ６２（本発明にいう第１搬送手段の一例である）と、この搬送ローラ６２よりも搬送方向下流側に配置されたレジストローラ６４及びレジストコロ６６（これら両者が本発明にいう第２搬送手段の一例である）とを備えている。搬送ローラ６２は一対のものであり、この一対の搬送ローラ６２でカット紙Ｓを挟持しながら矢印Ｃ方向に搬送する。レジストコロ６６はレジストローラ６４に押し付けられており、この押し付けられた部分（ニップ部）にカット紙Ｓを挟持して矢印Ｃ方向に搬送する。なお、レジストコロ６６はレジストローラ６４の回転に従動して回転する。
【００３０】
引抜ローラ６２とレジストローラ６４の間には、カット紙Ｓを矢印Ｃ方向に案内するガイド板８０，８２，８４が形成されている。ガイド板８０，８２は互いに向き合って湾曲しながら矢印Ｃ方向に延びている。ガイド板８４は、レジストコロ６６の近傍に位置している。
【００３１】
レジストローラ６４は、図５に示すように、５つの個別レジストローラ６４ａ，６４ｂ，６４ｃ，６４ｄ，６４ｅから構成されている。各個別レジストローラ６４ａ，６４ｂ，６４ｃ，６４ｄ，６４ｅは共通の回転軸６５を中心にして回転する。なお、回転軸６５は矢印Ｃ方向に直交する直交方向に延びており、外部の駆動源からの駆動力によって所定のタイミングで回転する。レジストコロ６６は、図５に示すように、５つの個別レジストローラ６４ａ，６４ｂ，６４ｃ，６４ｄ，６４ｅそれぞれに対応する５つの個別レジストコロ６６ａ，６６ｂ，６６ｃ，６６ｄ，６６ｅから構成されている。各個別レジストコロ６６ａ，６６ｂ，６６ｃ，６６ｄ，６６ｅは共通の回転軸６７を中心にして回転する。なお、回転軸６７は矢印Ｃ方向に直交する直交方向に延びており、筐体１２（図２参照）に回転自在に固定されている。また、個別レジストローラと個別レジストコロの長さは、複写機１０で用いられる記録媒体の各種サイズに応じて適宜に決められる。
【００３２】
個別レジストコロ６６ａは、５つの個別レジストコロのうち一番端（矢印Ｃ方向から見て一番左端）に位置しているレジストコロである。個別レジストコロ６６ａの外周面の半分程度は、半円柱状の両端個別レジシャッタ７０で覆われている。両端個別レジシャッタ７０の長さは、個別レジストコロ６６ａよりもやや長い。両端個別レジシャッタ７０は、回転軸６７に直交する方向（矢印Ｃ方向）に広がる一対の側壁７０ａと、この一対の側壁７０ａをつなぐ半円周壁７０ｂを有する。一対の側壁７０ａの中央部には回転軸６７が貫通しており、この一対の側壁７０ａは回転軸６７に回転自在に固定されている。従って、回転軸６７が回転してもこの回転に伴って両端個別レジシャッタ７０は回転しない。
【００３３】
一対の側壁７０ａのうち矢印Ｃ方向上流側を向く部分には、搬送されてきたカット紙Ｓの先端が当接する用紙当接面７０ｃ（本発明にいう用紙当接部の一例である）が形成されている。両端個別レジシャッタ７０に外力が作用していない状態では、図３や図４に二点鎖線で示すように、用紙当接面７０ｃの上部には搬送ガイド８４の先端面８４ａが接触しており、これにより、両端個別レジシャッタ７０が位置決めされている。従って、用紙当接面７０ｃが搬送ガイド８４の先端面８４ａよりも矢印Ｃ方向上流側に移動することはない。
【００３４】
個別レジストコロ６６ｃは、２つの個別レジストコロ６６ａ，６６ｂと２つの個別レジストコロ６６ｄ，６６ｅとに挟まれた位置に配置されており、これらの中央に位置している。個別レジストコロ６６ｃの外周面の半分程度は、半円柱状の中央個別レジシャッタ７２で覆われている。中央個別レジシャッタ７２の長さは、個別レジストコロ６６ｃよりもやや長い。中央個別レジシャッタ７２は、回転軸６７に直交する方向（矢印Ｃ方向）に広がる一対の側壁７２ａと、この一対の側壁７２ａをつなぐ半円周壁７２ｂを有する。一対の側壁７２ａの中央部には回転軸６７が貫通しており、この一対の側壁７２ａは回転軸６７に回転自在に固定されている。従って、回転軸６７が回転してもこの回転に伴って中央個別レジシャッタ７２は回転しない。
【００３５】
一対の側壁７２ａのうち矢印Ｃ方向上流側を向く部分には、搬送されてきたカット紙Ｓの先端が当接する用紙当接面７２ｃ（本発明にいう用紙当接部の一例である）が形成されている。中央個別レジシャッタ７２に外力が作用していない状態では、図３や図４に示すように、用紙当接面７２ｃの上部には搬送ガイド８４の先端面８４ａが接触しており、これにより、中央個別レジシャッタ７２が位置決めされている。従って、用紙当接面７２ｃが搬送ガイド８４の先端面８４ａよりも矢印Ｃ方向上流側に移動することはない。
【００３６】
個別レジストコロ６６ｅは、５つの個別レジストコロのうち一番端（矢印Ｃ方向から見て一番右端）に位置しているレジストコロである。個別レジストコロ６６ｅの外周面の半分程度は、半円柱状の両端個別レジシャッタ７４で覆われている。両端個別レジシャッタ７４の長さは、個別レジストコロ６６ｅよりもやや長い。両端個別レジシャッタ７４は、回転軸６７に直交する方向（矢印Ｃ方向）に広がる一対の側壁７４ａと、この一対の側壁７４ａをつなぐ半円周壁７４ｂを有する。一対の側壁７４ａの中央部には回転軸６７が貫通しており、この一対の側壁７４ａは回転軸６７に回転自在に固定されている。従って、回転軸６７が回転してもこの回転に伴って両端個別レジシャッタ７４は回転しない。
【００３７】
一対の側壁７４ａのうち矢印Ｃ方向上流側を向く部分には、搬送されてきたカット紙Ｓの先端が当接する用紙当接面７４ｃ（本発明にいう用紙当接部の一例である）が形成されている。両端個別レジシャッタ７４に外力が作用していない状態では、図３や図４に示すように、用紙当接面７４ｃの上部には搬送ガイド８４の先端面８４ａが接触しており、これにより、両端個別レジシャッタ７４が位置決めされている。従って、用紙当接面７４ｃが搬送ガイド８４の先端面８４ａよりも矢印Ｃ方向上流側に移動することはない。
【００３８】
上述したように３つのレジシャッタ７０，７２，７４はそれぞれ独立して回転軸６７に回転自在に固定されている。従って、３つのレジシャッタ７０，７２，７４のうちのいずれか一つに外力が作用した場合、その外力が作用したレジシャッタのみが矢印Ｂ方向に回動する。
【００３９】
ここで、用紙当接面７０ｃ，７２ｃ，７４ｃの位置関係を説明する。
【００４０】
用紙当接面７０ｃ，７４ｃは同一平面上に位置している。一方、用紙当接面７２ｃは、図６に示すように、用紙当接面７０ｃ，７４ｃよりも矢印Ｃ方向下流側に距離Ｌだけ引っ込んだ位置に位置している。即ち、用紙当接面７２ｃは、用紙当接面７０ｃ，７４ｃよりも矢印Ｃ方向上流側から見て距離Ｌだけ奥に位置している。なお、用紙当接面７０ｃ，７２ｃ，７４ｃを同一平面上に位置させても良い。
【００４１】
小サイズ（例えばＡ５サイズ）のカット紙Ｓが搬送されてきたときのレジシャッタ７０，７２，７４の動きを説明する。
【００４２】
小サイズ（図５と図６において幅Ｗ１とする）のカット紙Ｓが斜行無しに搬送されてきた場合、一対の用紙当接面７２ｃには同時にカット紙Ｓの先端が当接する。この場合、レジシャッタ７２の長さはカット紙Ｓの幅よりも短く、また、レジシャッタ７２を矢印Ｂ方向とは反対方向に付勢する部材は無い。従って、カット紙Ｓの「腰」によってレジシャッタ７２が矢印Ｂ方向に円滑に回動して退避位置（図４の実線で示す位置）に移動するので、カット紙Ｓはレジストローラ６４ｃとレジストコロ６６ｃに挟持されながら矢印Ｃ方向に搬送される。なお、用紙当接面７０ｃ，７４ｃには小サイズのカット紙Ｓの先端が当接しないので、用紙当接面７０ｃ，７４ｃは動かない（回動しない）。
【００４３】
小サイズのカット紙Ｓが斜行して搬送されてきた場合、一対の用紙当接面７２ｃのいずれか一方にカット紙Ｓの先端の一部が当接する。この状態では、レジシャッタ７２は矢印Ｂ方向に回動せずに、一対の用紙当接面７２ｃの双方にカット紙Ｓの先端が当接するまでカット紙Ｓが搬送される。従って、カット紙Ｓの斜行が矯正される。その後は、上記した場合と同様に、カット紙Ｓの「腰」によってレジシャッタ７２が矢印Ｂ方向に円滑に回動して退避位置に移動するので、カット紙Ｓはレジストローラ６４ｃとレジストコロ６６ｃに挟持されながら矢印Ｃ方向に搬送される。
【００４４】
大サイズ（例えばＡ４サイズ）のカット紙Ｓが搬送されてきたときのレジシャッタ７０，７２，７４の動きを説明する。
【００４５】
大サイズ（図５と図６において幅Ｗ２とする）のカット紙Ｓが斜行無しに搬送されてきた場合、用紙当接面７０ｃ，７４ｃには同時にカット紙Ｓの先端が当接する。この場合、カット紙Ｓの「腰」によってレジシャッタ７０，７４が矢印Ｂ方向に円滑に回動して退避位置（図４の実線で示す位置）に移動し、続いて、レジシャッタ７２が矢印Ｂ方向に円滑に回動して退避位置（図４実線で示す位置）に移動するので、カット紙Ｓは５つの個別レジストローラ６４ａ，６４ｂ，６４ｃ，６４ｄ，６４ｅと５つの個別レジストコロ６６ａ，６６ｂ，６６ｃ，６６ｄ，６６ｅに挟持されながら矢印Ｃ方向に搬送される。
【００４６】
大サイズのカット紙Ｓが斜行して搬送されてきた場合、用紙当接面７０ｃ，７４ｃのいずれか一方にカット紙Ｓの先端の一部が当接する。ここで、レジシャッタ７０，７４には、これらを矢印Ｂ方向とは反対方向に付勢する付勢部材が通紙領域外に備えられている。従って、用紙当接面７０ｃ，７４ｃのいずれか一方にカット紙Ｓの先端の一部が当接しただけでは、レジシャッタ７０，７４は矢印Ｂ方向に回動せずに、用紙当接面７０ｃ，７４ｃの全てにカット紙Ｓの先端が当接するまでカット紙Ｓが搬送される。従って、カット紙Ｓの斜行が矯正される。その後は、上記した場合と同様に、カット紙Ｓの「腰」によってレジシャッタ７０，７２，７４が矢印Ｂ方向に円滑に回動して退避位置に移動するので、カット紙Ｓは５つの個別レジストローラ６４ａ，６４ｂ，６４ｃ，６４ｄ，６４ｅと５つの個別レジストコロ６６ａ，６６ｂ，６６ｃ，６６ｄ，６６ｅに挟持されながら矢印Ｃ方向に搬送される。なお、カット紙Ｓのサイズ（大サイズ、中サイズ、小サイズ）に応じて適宜にレジシャッタの数を増やして配置しておくこともできる。
【００４７】
図７を参照して、本発明の記録媒体搬送装置の第２実施形態を説明する。
【００４８】
図７は、第２実施形態の記録媒体搬送装置を示す斜視図である。この図では、図５に示された構成要素と同一の構成要素には同一の符号が付されている。
【００４９】
記録媒体搬送装置９０の特徴は、２つの両端個別レジシャッタ７０，７４を連結する連結部材９２を設けた点にある。２つの両端個別レジシャッタ７０，７４は連結部材９２によって連結されているので同時に回動する。
【００５０】
大サイズのカット紙Ｓが斜行無しに搬送されてきた場合、用紙当接面７０ｃ，７４ｃには同時にカット紙Ｓの先端が当接する。この場合、カット紙Ｓの「腰」によってレジシャッタ７０，７４及び連結部材９２が矢印Ｂ方向に円滑に回動して退避位置（図４の実線で示す位置）に移動し、続いて、レジシャッタ７２が矢印Ｂ方向に円滑に回動して退避位置（図４の実線で示す位置）に移動するので、カット紙Ｓは５つの個別レジストローラ６４ａ，６４ｂ，６４ｃ，６４ｄ，６４ｅと５つの個別レジストコロ６６ａ，６６ｂ，６６ｃ，６６ｄ，６６ｅに挟持されながら矢印Ｃ方向に搬送される。
【００５１】
大サイズのカット紙Ｓが斜行して搬送されてきた場合、用紙当接面７０ｃ，７４ｃのいずれか一方（例えば２つの７０ｃの１番端のもの）にカット紙Ｓの先端の一部が当接する。レジシャッタ７０，７４は連結部材９２で連結されているので、用紙当接面７０ｃの一つにカット紙Ｓの先端の一部が当接しただけでは、レジシャッタ７０，７４は矢印Ｂ方向に回動せずに、用紙当接面７０ｃ，７４ｃの全てにカット紙Ｓの先端が当接するまでカット紙Ｓが搬送される。従って、カット紙Ｓの斜行が矯正される。その後は、上記した場合と同様に、カット紙Ｓの「腰」によってレジシャッタ７０，７２，７４が矢印Ｂ方向に円滑に回動して退避位置に移動するので、カット紙Ｓは５つの個別レジストローラ６４ａ，６４ｂ，６４ｃ，６４ｄ，６４ｅと５つの個別レジストコロ６６ａ，６６ｂ，６６ｃ，６６ｄ，６６ｅに挟持されながら矢印Ｃ方向に搬送される。従って、「腰」の強いカット紙Ｓが斜行しながら搬送されてきても、２つの両端個別レジシャッタ７０，７４のうちのいずれかが単独で回動しない。このため、「腰」の強いカット紙Ｓの斜行をいっそう確実に矯正できる。なお、小サイズのカット紙Ｓが搬送されてきた場合は、第１実施形態の場合と同じである。
【００５２】
【発明の効果】
以上説明したように本発明の記録媒体搬送装置では、複数の個別レジシャッタが備えられているので、そのうちの一つの個別レジシャッタを、小サイズの記録媒体が当接する小さな個別レジシャッタにしておくことにより、搬送中の小サイズ記録媒体の腰によって小さな個別レジシャッタが容易に退避させられる。このため、小サイズの記録媒体を搬送する場合であってもこの小サイズの記録媒体の斜行を無くして円滑に搬送できる。
【００５３】
ここで、前記複数の個別レジシャッタは、前記直交方向に並んだ３つ以上の個別レジシャッタからなるものである場合は、３つ以上の個別レジシャッタのうちの幾つかを、小サイズや中サイズの記録媒体が当接する個別レジシャッタにしておくことにより、小サイズであっても中サイズであっても記録媒体の斜行を無くして円滑に搬送できる。
【００５４】
また、前記複数の個別レジシャッタは、記録媒体の腰によってそれぞれが個別に所定の退避位置に退避させられるものである場合は、小サイズの記録媒体を搬送する場合であってもこの小サイズの記録媒体の斜行をいっそう確実に無くしてさらに円滑に搬送できる。
【００５５】
さらに、前記複数の個別レジシャッタは、前記直交方向における中央部に配置された中央個別レジシャッタと、前記直交方向における両端部に配置された、互いに連結した２つの両端個別レジシャッタとからなるものである場合は、大サイズで「腰」の強い記録媒体が斜行しながら搬送されてきても、２つの両端個別レジシャッタが連結されているので、これらは単独で移動しない。従って、大サイズで「腰」の強い記録媒体の斜行をいっそう確実に矯正できる。
【００５６】
さらにまた、前記複数の個別レジシャッタは、各個別レジシャッタのうち前記直交方向の両端部それぞれに形成された、前記第１搬送手段によって搬送された記録媒体の先端が当接する用紙当接部を備えたものであり、前記第２搬送手段は、各個別レジシャッタの２つの前記用紙当接部の間に配置された複数のローラ対を備えたものであり、前記複数のローラ対は、該ローラ対のうちの一方のローラが所定の第１回転中心軸に固定されて回転すると共に、他方のローラが所定の第２回転中心軸に固定されて回転するものである場合は、各個別レジシャッタにローラ対が配置されているので、小サイズの記録媒体であってもいっそう確実に円滑に搬送できる。
【００５７】
さらにまた、前記複数の個別レジシャッタは、これら複数の個別レジシャッタのうち前記直交方向の中央部に位置する中央個別レジシャッタの前記用紙当接部は、前記直交方向の両端部に位置する両端個別レジシャッタの用紙当接部よりも、前記搬送方向の下流側に位置するか、若しくは、前記中央個別レジシャッタ及び前記両端個別レジシャッタ双方の前記用紙当接部は同一平面上に位置するものである場合は、中央個別レジシャッタの用紙当接部が搬送方向上流側に飛出ていないので、大サイズの記録媒体の斜行をいっそう確実に矯正できる。
【図面の簡単な説明】
【図１】本発明の画像形成装置の一実施形態であるデジタル複写機を示す斜視図である。
【図２】図１のデジタル複写機の内部構造を示す模式図である。
【図３】記録媒体搬送装置を示す側面図である。
【図４】図３の記録媒体搬送装置のうちレジシャッタの近傍部分を拡大して示す側面図である。
【図５】レジシャッタなどを示す斜視図である。
【図６】図５のレジシャッタを示す平面図である。
【図７】第２実施形態の記録媒体搬送装置を示す斜視図である。
【図８】従来の搬送装置の一部を示す斜視図である。
【符号の説明】
１０　複写機
６０，９０　記録媒体搬送装置
６２　搬送ローラ
６４　レジストローラ
６６　レジストコロ
７０，７４　両端個別レジシャッタ
７２　中央個別レジシャッタ
７０ｃ，７２ｃ，７４ｃ　用紙当接面
９２　連結部材
【図１】
2004026343.tif 000003
【図２】
2004026343.tif 000004
【図３】
2004026343.tif 000005
【図４】
2004026343.tif 000006
【図５】
2004026343.tif 000007
【図６】
2004026343.tif 000008
【図７】
2004026343.tif 000009
【図８】
2004026343.tif 000010